(57)【要約】  アプリケーター付き単回用量パッケージ  ハンドルから壊れやすく分離可能な材料チャンバーと、アプリケーターを保持する同心の部分または半円筒部とを有する単回用量パッケージ。内側の半円筒部上に置かれた外側の部分円筒部が、アプリケーターを取り囲んで保持する。材料チャンバーに対してハンドルを動かすと、そのハンドルが材料チャンバーから分離され、材料チャンバー中に含まれる材料にアクセスされる。さまざまなサイズと形状のプラグが、材料チャンバーの容積を選択的に調整する。【選択図】図１Ａ
2020524639.tif 000002
【特許請求の範囲】
【請求項１】
スタンドと、
前記スタンドに取り付けられた材料ウェルと、
前記材料ウェルに壊れやすく取り付けられたハンドルと、
前記ハンドルに取り付けられた、開口部を有する第１の部分円筒部と、
前記第１の部分円筒部内に保持されたアプリケーターと、
前記第１の部分円筒部上に回転可能に配置された第２の部分円筒部と、
を含んでおり、
前記第２の部分円筒部が、前記第１の部分円筒部の開口部を覆うことができる、単回用量パッケージ。
【請求項２】
前記材料ウェル内に形成されたプラグ陥凹と、
前記プラグ陥凹内に配されて前記材料ウェルをシールするプラグと、
をさらに含む、請求項１に記載の単回用量パッケージ。
【請求項３】
前記プラグが、所定の長手方向長さを有するインサートを有し、前記インサートの所定の長手方向長さを選択することにより前記材料ウェルの容積を調整することができる、請求項２に記載の単回用量パッケージ
【請求項４】
前記プラグ陥凹が、異なる直径の複数の段を含む、請求項２に記載の単回用量パッケージ。
【請求項５】
前記プラグが所定の直径を備え、その所定の直径を選択することにより前記材料ウェルの容積を調整することができる、請求項４に記載の単回用量パッケージ。
【請求項６】
前記プラグが複数のレベルの異なる直径を備え、その複数のレベルの少なくとも1つを除くことにより前記材料ウェルの容積を調整することができる、請求項４に記載の単回用量パッケージ。
【請求項７】
開口部を有する材料チャンバーと、
前記材料チャンバーに取り付けられて前記開口部を覆うハンドルと、
前記材料チャンバーと前記ハンドルとの間に配置された壊れやすいラインと、
前記ハンドルに取り付けられた、内側面および遠位端を有する内側半円筒部体と、
前記内側半円筒部の内側面に形成された突起部と、
前記内側半円筒部内に配置され、前記突起部によって保持されたアプリケーターと、
前記遠位端に形成されたカラーと、
前記ハンドルと前記カラーとの間において前記内側半円筒部上に配置された、前記内側半円筒部上で回転可能である長手方向開口部を有する外側部分円筒部と、
を含んでおり、
前記外側部分円筒部が、前記アプリケーターを取り囲んでいる前記内側半円筒部の開口部を覆うように回転することができる、単回用量パッケージ。
【請求項８】
開口部に対向して前記材料チャンバー内に形成されたプラグ陥凹と、
前記材料チャンバー中に配された材料と、
前記プラグ陥凹内に配されたプラグと、
をさらに含んでおり、
前記材料が前記材料ウェル内にシールされた、請求項７に記載の単回用量パッケージ。
【請求項９】
前記プラグが、所定の長手方向長さを有するインサートを有し、前記インサートの所定の長手方向長さを選択することにより前記材料ウェルの容積を調整することができる、請求項８に記載の単回用量パッケージ。
【請求項１０】
前記プラグ陥凹が異なる直径の複数の段を含む、請求項８に記載の単回用量パッケージ。
【請求項１１】
前記プラグが所定の直径を備え、前記プラグ陥凹の複数の段の一つに前記プラグを挿入するときにその所定の直径を選択することにより前記材料ウェルの容積を調整することができる、請求項１０に記載の単回用量パッケージ。
【請求項１２】
前記プラグが複数のレベルの異なる直径を備え、前記プラグ陥凹内に前記プラグを挿入するときにその複数のレベルの少なくとも1つを除くことにより前記材料ウェルの容積を調整することができる、請求項１０に記載の単回用量パッケージ。
【請求項１３】
前記材料チャンバーに形成された第１の平坦面をさらに含んでおり、印を配することができる、請求項７に記載の単回用量パッケージ。
【請求項１４】
前記外側部分円筒部に形成された第２の平坦面をさらに含んでおり、印を配することができる、請求項７に記載の単回用量パッケージ。
【発明の詳細な説明】
【技術分野】
【０００１】
本発明は、概して、材料を適用するためのパッケージング、特に、アプリケーターが取り付けられた単回用量パッケージに関する。
【背景技術】
【０００２】
薬剤などの材料を分配するために使用される単回用量または単位用量パッケージが沢山ある。そのようなパッケージの１つが、１９９７年８月２６日にＤｉｓｃｋｏ社に発行された「アプリケーター付き単回患者用量薬物ディスペンサー」と題する米国特許第５，６６０，２７３号明細書に開示されており、参照により本明細書に援用される。薬剤または材料を保持するためのウェルと、薬剤または材料を適用するためのアプリケーターとを有するトレイがそこに開示されている。薄いシートまたはフィルムが材料ウェルとアプリケーターウェルを覆ってシールしており、アプリケーターハンドルがトレイから伸びている。もう一つの単回用量または単位用量パッケージが、２０１０年１１月９日にＤｉｓｃｋｏ社に発行された「アプリケーター付き単回患者用量薬物ディスペンサー」と題する米国特許第７，８２８，１４２号明細書に開示されており、参照により本明細書に援用される。
【０００３】
材料をアプリケーターに適用するための単回患者用量パッケージがそこに開示されている。材料ウェルを絞ることにより、材料がアプリケーターに分配される。さらにもう一つの単回または単位用量アプリケーターが、２００５年１０月２５日にＲｏｗｅらに発行された「材料チャンバーを備える単位用量アプリケーター」と題する米国特許第６，９５７，９５８号明細書に開示されており、参照により本明細書に援用される。アプリケーター末端部分と材料末端部分とを有するアプリケーターがそこに開示されている。材料末端部分をアプリケーターのハンドル部分から分離すると、アプリケーターのアプリケーター末端部分を浸すように用いられる容器が形成される。材料単回用量がそのアプリケーター内に一体的に形成され、シールされる。
【発明の概要】
【発明が解決しようとする課題】
【０００４】
これらの従来の単位または単回用量パッケージは、それらが意図された目的のためにうまく機能したが、問題がないわけではない。トレイと薄膜カバーとの間に液体材料を入れるのに十分で適切なシールを提供することが困難であることが多かった。さらに、ユニットまたは単回用量パッケージを開く場合、ユニットまたは単回用量パッケージを開くときに材料の内容物がこぼれたり、飛び散ったりすることがよくある。また、アプリケーターをユニットまたは単回用量パッケージ内に安全かつ衛生的に保持することも困難であった。したがって、上記の問題を解決する改善されたユニットまたは単回用量パッケージが必要とされている。
【課題を解決するための手段】
【０００５】
本発明のアプリケーター付き単回単位用量パッケージは、間に配された溝または壊れやすいラインを有するハンドルに隣接して形成された材料チャンバーを有するスタンドを含む。ハンドルから、アプリケーターを保持するための半円筒部が伸びている。部分円筒部がその半円筒部を回転可能に覆ってアプリケーターを保護している。その材料チャンバーは、壊れやすいシールまたはラインを破るようにハンドルをひねることにより開かれて、アプリケーター中の材料にアクセスする開口部が形成される。
【０００６】
すなわち、本発明の目的は、アプリケーターをしっかりと保持および保護する単回または単位用量ディスペンサーを提供することである。
【０００７】
本発明のもう一つの目的は、その中の材料を確実にシールすることである。
【発明の効果】
【０００８】
本発明の利点は、その中に含まれる材料を飛散させることなく材料チャンバーを開けることができることである。
【０００９】
本発明のもう一つの利点は、アプリケーターが簡単に取り外せることである。
【００１０】
本発明の特徴は、材料チャンバーがハンドルに隣接して壊れやすいようにシールされることである。
【００１１】
本発明のもう一つの特徴は、アプリケーターが直立するように配置されることである。
【００１２】
本発明のさらにもう一つの特徴は、同心の半円筒部および部分円筒部が互いに対して回転可能であり、単回または単位用量パッケージ内にアプリケーターをしっかりと保持することである。
【００１３】
これらおよび他の目的、利点および特徴は、以下の詳細な説明を照せばより容易に明らかになるであろう。
【図面の簡単な説明】
【００１４】
【図１Ａ】本発明を模式的に示す正面斜視図である。
【図１Ｂ】本発明を模式的に示す背面斜視図である。
【図２】本発明を模式的に示す正面図である。
【図３】本発明を模式的に示す背面図である。
【図４】図３の線４−４に沿った横断面図である。
【図５】本発明の縦断面図である。
【図６】本発明のコンポーネントおよびアセンブリを示す分解図である。
【図７Ａ−Ｃ】本発明で使用される異なるサイズのプラグを示す。
【図８Ａ−Ｂ】材料チャンバーの開口と、下部材料チャンバーアセンブリからの上部アプリケーターアセンブリの分離を示している。
【図９】段付きプラグ陥凹を有する本発明の別の実施形態を概略的に示す断面図である。
【図１０Ａ−Ｂ】異なる直径のプラグを概略的に示す斜視図である。
【図１１Ａ−Ｂ】マルチレベルプラグを概略的に示す立面図である。
【発明を実施するための形態】
【００１５】
図１Ａは、アプリケーター１０を備えた単回または単位用量パッケージを示す。アプリケーター１０を備えた単回単位用量パッケージは直立しており、歯科処置で使用される歯表面などの表面に適用される薬剤などの単回または単位用量の材料を含む。また、アプリケーターが、シールされた材料ウェルの上側でしっかりと保持され汚染から保護される。このアプリケーターは、単回用量パッケージから簡単に挿入および取り外しできる。
【００１６】
材料チャンバー１４にはスタンド１２が取り付けられている。材料チャンバー１４はハンドル１８に壊れやすいように取り付けられている。材料チャンバー１４とハンドル１８との間にＶ字溝の脆弱ライン１６が設けられている。内側半円筒部または半分円筒部２０がハンドル１８に取り付けられている。内側半円筒部２０の遠位端には、カラーまたはフランジ２２がある。突起部２４が、内側半円筒部２０の内側空洞に延びている。長手方向開口部２８を有する外側部分円筒部２６が、内側半円筒部２０上にスナップ留めされている。この長手方向開口部２８は、好ましくは、内側半円筒部２０上にスナップ式嵌合を可能にするように、外側部分円筒部２６の周囲に１８０°未満で延在する。外側部分円筒部２６は、ハンドル１８とカラーまたはフランジ２２との間に保持される。外側部分円筒部２６は内側半円筒部２０上で回転する。閉位置に回転すると、外側部分円筒部２６が内側半円筒部２０の開放部分を覆って、アプリケーター３２をしっかりと保持および保護する。上部平坦面３０ａが、外側部分円筒部２６に形成され、下部平坦面３０ｂが、材料チャンバー１４に形成される。上部および下部平坦面３０ａおよび３０ｂは、素材に関する情報、使用方法、またはその他の情報などの印または記載をそこに配することを可能にする表面を提供する。
【００１７】
図１Ｂは、上部および下部平坦面３０ａおよび３０ｂをより明確に示している。上部および下部平坦面３０ａおよび３０ｂは、長方形として示されているが、任意の形状であり得る。
【００１８】
図２は、内側半円筒部２０内のアプリケーター３２の界面または保持をより明確に示している。アプリケーター３２は、長手方向開口２８を通して内側半円筒部２０に挿入され、突起部２４によってその中に保持される。突起部２４は、アプリケーター３２に形成されているネックまたはくぼみ３４内に伸びる。アプリケーター３２は、アプリケーター端部またはブラシ３６を有する。アプリケーター端部またはブラシ３６は、剛毛、発泡体、フロック、または他の同等の材料で形成されてもよい。アプリケーター３２が内側半円筒部２０内に配置されると、外側部分円筒部２６が内側半円筒部２０に対して回転し、内側半円筒部２０の開口部が外側部分円筒部２６によって覆われる。そして、同心の内側半円筒部２０内でアプリケーターが保持およびシールされる。
【００１９】
図３は、アプリケーター１０ならびに上部および下部平坦面３０ａおよび３０ｂを備えた単回用量パッケージを明確に示している。材料チャンバー１４とハンドル１８との間のＶ字溝または脆弱ライン１６もより明確に示されている。
【００２０】
図４は、図３の線４―４に沿った断面図である。内側半円筒部２０と外側部分円筒部２６との間の関係がより明確に示されている。アプリケーター３２は、内側半円筒部２０内の突起部２４の間の位置に保持される。内側半円筒部２０上に長手方向開口部２８が配される。好ましくは、長手方向開口部２８は、外側部分円筒部２６の周囲に１８０°未満で延在する。長手方向開口部２８は、好ましくは、内側半円筒部２０の直径よりも小さいコードを間に有する。これにより、外側部分円筒部２６の内側半円筒部２０へのスナップ式嵌合が確保される。
【００２１】
図５は、材料チャンバー１４を含む本発明の構造をより明確に示す縦断面図である。材料チャンバー１４内に配置されているのは、材料４１である。材料４１は、好ましくは液体であり、医学的または歯科的処置、およびその他の望ましい用途において用いられる薬剤であってよい。プラグ４２ａは、プラグ陥凹３８に挿入される。材料チャンバー１４の側壁にベント４０が形成される。ベント４０は、プラグ４２ａが挿入される際に材料チャンバー１４から空気を排出することにより、プラグ陥凹３８内へのプラグ４２ａの挿入を支援する。プラグ４２ａがプラグ陥凹３８に挿入された後に材料チャンバー１４が完全にシールされているように、ベント４０はスタンド１２の底部の前で終了することが好ましい。プラグ４２ａは、摩擦、接着剤、または音波溶接によってプラグ陥凹３８内に保持され得る。好ましくは、プラグ４２ａは、スタンド１２または材料チャンバー１４に音波溶接される。Ｖ字溝または脆弱ライン１６およびハンドル１８に隣接する材料チャンバー１４の開口部もより明確に示されている。したがって、ハンドル１８がスタンド１２に対して回転または曲げられると、Ｖ字溝または脆弱ライン１６が破壊され、材料チャンバー１４内に含まれる材料４１へのアクセスを可能にする開口部が提供される。次に、材料チャンバー１４中に含まれる材料４１を表面に適用するためにアプリケーターを用いることができる。
【００２２】
図６は、本発明のアプリケーター１０を備えた単回用量パッケージの分解図であり、その構造を形成する構成要素をより明確に示している。内側半円筒部２０上に外側部分円筒部２６が配されている。外側部分円筒部２６の長手方向開口部２８が内側半円筒部２０の開口部と位置合わせされた状態で、アプリケーター３２を、ネック３４を突起部２４の間に挿入させて内側半円筒部２０の開口部に挿入して、アプリケーター３２をその中にしっかりと保持することができる。挿入されると、外側部分円筒部２６は内側半円筒部２０上で回転し、内側半円筒部２０の開口部を閉じる。この構造は、アプリケーターを内側半円筒部２０内にしっかりと保持し、アプリケーター３２を汚染から保護する。
【００２３】
図７Ａ〜図７Ｃは、図５に示すプラグ陥凹３８への挿入に使用可能である、異なる長さのプラグを示す。異なる長さのプラグは、材料チャンバー１４の容積を変更または調整できるインサートを有する。例えば、図７Ａは、短いインサート４８ａを有するプラグ４２ａを示している。短いインサート４８ａは、図５に示されるプラグ陥凹３８に挿入されると、図５に示される材料チャンバー１４の容積が比較的大きくなるように、比較的短い長手方向長さ有する。図７Ｂは、中程度インサート４８ｂを有するプラグ４２ｂを示している。中程度インサート４８ｂは、図５に示されるプラグ陥凹３８に挿入されると、図５に示される材料チャンバー１４の容積が比較的小さくなるように、比較的長い長手方向長さを有する。
【００２４】
図７Ｃは、最も長いインサート４８ｃを有するプラグ４２ｃを示している。最も長いインサート４８ｃは、図５に示されるプラグ陥凹３８に挿入されると、図５に示される材料チャンバー１４の容積が相対的に最小になるように、最も長い長手方向長さを有する。プラグ４２ａ、４２ｂ、および４２ｃはすべて、その上に隆起部４６を備えたベース４４を有する。隆起部４６は、超音波溶接を使用して材料チャンバーをプラグでシールするのを容易にする。
【００２５】
インサート４８ａ、４８ｂ、および４８ｃの長手方向の長さを変えることにより、図５に示される材料チャンバー１４の容積を、必要に応じて変更することができる。例えば、選択されたプラグに応じて材料チャンバーの容積は、典型的には、例えば０．１５ｍＬから０．５ｍＬの間の範囲とすることができる。
【００２６】
図８Ａ〜Ｂは、下部材料チャンバーアセンブリ５２からの上部アプリケーターアセンブリ５０の分離を示している。Ｖ字溝または脆弱ライン１６に沿って下部材料チャンバーアセンブリ５２から上部アプリケーターアセンブリ５０を分離することにより、材料チャンバー１４に開口部５４が形成される。次に、材料チャンバー１４中に含まれる材料にアプリケーター３２でアクセスして、表面に適用することができる。
【００２７】
本発明の構成および構造は、上部アプリケーターアセンブリ５０を下部材料チャンバーアセンブリ５２から分離するためにハンドル１８をねじる際に、スタンド１２を平らな表面上にしっかりと保持できるという利点を有する。これは、スタンド１２と材料チャンバー１４を動かさずに行うことができる。これにより、材料チャンバー１４中に含まれる材料が飛散する可能性が大幅に減少する。
【００２８】
図９および図１０Ａ〜Ｂは、本発明の別の実施形態を示している。この実施形態は、材料チャンバーの容積を変えるための異なる構成を有する。この実施形態では、アプリケーター１１０を備えた単回用量パッケージは、スタンド１１２および材料チャンバー１１４を有する。Ｖ字溝または脆弱ライン１１６が、材料チャンバー１１４をハンドル１１８から分離する。半円筒部１２０が、ハンドル１１８に取り付けられ、その中に突起部１２４を有する。半円筒部１２０の遠位端には、カラーまたはフランジ１２２がある。組み立てられたとき、外側部分円筒部１２６が、内側半円筒部１２０の上に配置される。比較的大きな平坦面１３０により、追加の印または書き込みをその上に配置して、ユーザーに情報を提供することが可能になる。スタンド１１２には、複数の段付きプラグ陥凹１３８が形成されている。段付きプラグ陥凹１３８の側壁面には、ベント１４０が形成されている。
【００２９】
図１０Ａ〜Ｂは、図９に示される段付きプラグ陥凹１３８に挿入される異なる直径のプラグを示し、図９に示される材料チャンバー１１４の容積を所望に応じて調整することを可能にする。一例として、図１０Ａは、小さな直径のベース１４４ａと同じく小さな直径のインサート１４８ａとを有するプラグ１４２ａを示している。隆起部１４６ａがベース１４４ａ上に形成され、超音波溶接によるプラグ１４２ａのシールを促進するために使用される。同様に、図１０Ｂは、比較的大きな直径のベース１４４ｂと同じく比較的大きな直径のインサート１４８ｂとを有するプラグ１４２ｂを示している。また、隆起部１４６ｂがベース１４４ｂ上に形成され、超音波溶接によるプラグ１４２ｂのシールを促進するために使用される。
【００３０】
図９および図１０Ａ〜Ｂを参照すると、材料チャンバー１１４の容積を、異なる直径のプラグ１４２ａ、１４２ｂを異なる直径の段付きプラグ陥凹１３８に挿入することにより変えることができる。より小さな直径のプラグは、段付きプラグの陥凹のさらに上方まで挿入されるので、より小さな直径のプラグを用いると材料チャンバー１１４の容積がより小さくなる。
【００３１】
図１１Ａ〜Ｂは、図９に示す材料チャンバー１１４の容積を変えるように使用できる別のタイプのプラグを示す。この実施形態の利点は、所望の容積を提供するように単回プラグを変更できること、および図９に示される材料チャンバー１１４が漏れないように多段シールを用いることができることである。図１１Ａは、異なる直径を有する複数の異なるインサート２４８ａ、２４８ｂ、２４８ｃが形成されたベース２４４を有するマルチレベルプラグ２４２を示している。図１１Ｂは、より小さい直径のインサート２４８ｃおよび２４８ｂが除去または取り除かれたマルチレベルプラグ２４２’を示す。したがって、図９に示される段付きプラグ陥凹１３８にマルチレベルプラグ２４２が挿入されたとき、図９に示される材料チャンバー１１４の容積は、マルチレベルプラグ２４２’が段付きプラグ陥凹１３８に挿入されたときよりも小さくなる。マルチレベルプラグ２４２および２４２’の各レベルに配置された隆起部２４６により、各レベルでの複数シールを提供することが可能になる。この実施形態は、インサートと材料チャンバーの側壁との間に所定量の材料が集められることを防止することにより材料の浪費を減少させるという利点も有する。
【００３２】
本発明は、アプリケーターをしっかりと保持し、開いたときに材料がこぼれないようにする改良されたユニットまたは単回用量パッケージを提供する。これにより、材料を表面に容易に適用できる。本発明は、また、アプリケーターをパッケージ内で交換し、材料を適用する間に保護することを可能にする。
【００３３】
本発明を様々な実施形態に関して説明したが、本発明の精神および範囲から逸脱することなく様々な修正を行うことができる。
【図１Ａ】
2020524639.tif 000003
【図１Ｂ】
2020524639.tif 000004
【図２】
2020524639.tif 000005
【図３】
2020524639.tif 000006
【図４】
2020524639.tif 000007
【図５】
2020524639.tif 000008
【図６】
2020524639.tif 000009
【図７Ａ】
2020524639.tif 000010
【図７Ｂ】
2020524639.tif 000011
【図７Ｃ】
2020524639.tif 000012
【図８Ａ】
2020524639.tif 000013
【図８Ｂ】
2020524639.tif 000014
【図９】
2020524639.tif 000015
【図１０Ａ】
2020524639.tif 000016
【図１０Ｂ】
2020524639.tif 000017
【図１１Ａ】
2020524639.tif 000018
【図１１Ｂ】
2020524639.tif 000019
【国際調査報告】
2020524639.tif 000020
2020524639.tif 000021
2020524639.tif 000022